(57)【特許請求の範囲】
【請求項１】
内面に鏡面を有する反射鏡と、該反射鏡内に設けられたバルブとを備えたプロジェクタ用光源において、
前記反射鏡の先端縁に取り付けられたリング状のフレームと、
前記フレームに固定され、前記反射鏡の前方であって、該反射鏡から反射される光線のかからない位置に取り付けられた、後部が反射鏡の中心方向に傾斜し前部が反射鏡の外周方向に傾斜するガイド面、および該ガイド面の両側に形成され、側方に八字状に開放された両翼を有するフィンと、
該フィンの外方に配置された、前記ガイド面に向けて送風するファンと、
を備え、
前記フレームは、内周に形成されたリング状の段部が前記反射鏡の先端縁に嵌め込まれ、そのフレームに設けられた突出部に前記フィンが取り付けられていると共に、フィンの前記ガイド面が、正面から見て前記バルブの横側方で前記反射鏡の内側に配備されていることによって、そのガイド面と前記フレームとの間に通路が形成され、前記ファンの回転によって生じた冷却風が、フィンの前記ガイド面に沿って前記通路を通り、反射鏡の中心方向に流れるように構成されていることを特徴とするプロジェクタ用光源。
【発明の詳細な説明】
【技術分野】
【０００１】
本発明は、投写レンズから投射される出力画像をスクリーンに投射するプロジェクタに使用されるプロジェクタ用光源に関する。
【背景技術】
【０００２】
従来、この種のプロジェクタには、笠形状の反射鏡内の中心にバルブ３を設けた光源が使用されている。液晶プロジェクタにおいては、この光源からの光を偏光板、液晶パネルを通し、投写レンズから映像を投写する。この場合、偏光板および液晶パネルは発熱しやすいので、これを冷却するためのファンが設けられたものがある（例えば、特許文献１参照）。
【特許文献１】特開平８−２９８７４号公報
【発明の開示】
【発明が解決しようとする課題】
【０００３】
しかしながら、ＤＭＤの表示画像を投写レンズで拡大表示するようにしたＤＭＤプロジェクタにおいては、偏光板や液晶は使用しないため、最も発熱しやすいのは光源のバルブ周辺である。バルブはガラスで覆われており、このガラスの融点は約１０００℃であり、安全のためにはこれ以下の温度で使用する必要がある。しかし、従来は光源の冷却手段がないため、長時間の使用や設置場所によっては、この温度を超えるおそれがあるため、細心の注意をはらいながら使用していた。
【０００４】
また、プロジェクタは、テーブル上に設置して使用する場合と、天井に吊るして使用する場合とでは、向きが逆になるため、バルブも上下が逆になる。テーブル状態で、バルブのトップ側の温度が例えば９００℃、ボトム側が７５０℃（温度差は１５０℃で好ましい範囲）であったとしても、天井状態では熱が天井付近にこもるため、ボトム部が１０００℃以上、トップ部が６８０℃以下となってしまうことがあり、バルブが故障しやすい状態となるおそれがある。このため、光源の冷却が望まれていた。特許文献１には、偏光板及び液晶パネルを冷却する構成が記載されているが、光源を効果的に冷却する構成については記載されていない。
【０００５】
本発明の目的は、光源を効果的に冷却でき、熱変化による故障を防止したるようにしたプロジェクタ用光源を提供することにある。
【課題を解決するための手段】
【０００６】
本発明に係るプロジェクタ用光源は、内面に鏡面を有する反射鏡と、該反射鏡内に設けられたバルブとを備えたプロジェクタ用光源において、前記反射鏡の先端縁に取り付けられたリング状のフレームと、前記フレームに固定され、前記反射鏡の前方であって、該反射鏡から反射される光線のかからない位置に取り付けられた、後部が反射鏡の中心方向に傾斜し前部が反射鏡の外周方向に傾斜するガイド面、および該ガイド面の両側に形成され、側方に八字状に開放された両翼を有するフィンと、該フィンの外方に配置された、前記ガイド面に向けて送風するファンと、を備え、前記フレームは、内周に形成されたリング状の段部が前記反射鏡の先端縁に嵌め込まれ、そのフレームに設けられた突出部に前記フィンが取り付けられていると共に、フィンの前記ガイド面が、正面から見て前記バルブの横側方で前記反射鏡の内側に配備されていることによって、そのガイド面と前記フレームとの間に通路が形成され、前記ファンの回転によって生じた冷却風が、フィンの前記ガイド面に沿って前記通路を通り、反射鏡の中心方向に流れるように構成されていることを特徴とする。
【０００７】
このプロジェクタ用光源によれば、フィンのガイド面が、正面から見てバルブの横側方で前記反射鏡の内側に配備されていることによって、そのガイド面と前記フレームとの間に通路が形成されているので、フィンに向けて送風することにより、冷却風が、フィンの前記ガイド面に沿って前記通路を通って反射鏡内に吹き込まれ、最も発熱しやすい光源が冷却風で冷却することができ、特に、冷却風がバルブの真横に吹き付けられるのでバルブのトップおよびボトムが均一に冷却され、テーブルと天井吊り下げの両位置で使用する場合でも、バルブのトップとボトムの温度差を１５０℃以内の好ましい範囲に収めることが可能になる。また、両翼が八字状に開いているので、ファンからの風がガイド面に集められ、風を無駄なく反射鏡内に送り込むことができる。
【発明の効果】
【０００８】
本発明によれば、光源を効果的に冷却でき、熱変化による故障を防止することができる。
【発明を実施するための最良の形態】
【０００９】
以下、本発明のプロジェクタ用光源の実施形態を図面を参照して説明する。
【００１０】
図１は、本発明のプロジェクタ用光源の一部切欠き側面図、図２は、プロジェクタ用光源の正面図である。
【００１１】
各図に示すように、光源１は、内面に弧状をなす鏡面２a 有する笠形の反射鏡２と、この反射鏡２内に配置されたバルブ３とを備えたものである。バルブ３は、支持部材４により反射鏡２に支持されて、反射鏡２の中心に、先端の発光部３a が鏡面２a の底面に向くように配置されている。支持部材４には、バルブ３に通電する導線（図示せず）が取り付けられている。
【００１２】
反射鏡２の先端縁には、リング状のフレーム５が取り付けられている。このフレーム５は、内周にリング状の段部５a が形成され、前面に突出部５ｂが形成されたもので、段部５a を反射鏡２の先端縁に嵌め込み、突出部５ｂの前面にフィン６が取り付けられている。
【００１３】
図３に示すように、このフィン６は、前部のガイド面７の両端縁に両翼８が形成されたもので、ガイド面７と両翼８のうちのガイド面７は、同図に示された状態では下部になるにしたがって前方に突出する方向に傾斜している。両翼８は八字状に側方に開いた形状である。したがって、このフィン６をフレーム５に取り付けた状態では、図１に示すように、ガイド面７は、後部が反射鏡２の中心方向、前部が外周方向に向けて傾斜し、ガイド面７とフレーム５との間に通路９が形成された構成となる。また、図２に示したように、フィン６のガイド面７は、正面から見てバルブ３の横側方で反射鏡２の内側に配備されていることによって、そのガイド面７とフレーム５との間に前記通路９を形成している。図２において、フィン６の側方には、モータ１０により回転するファン１１が設けられている。図１に示すように、フィン６は反射鏡から出射されて焦点を結ぶ光線Ｌにかからない位置に取り付けられている。これは光線Ｌを遮ると画像に支障が出るからである。
【００１４】
モータ１０によりファン１１が回転すると、冷却風がフィン６前記ガイド面７に沿って前記通路９を通り、図１の矢印のように、特に、ガイド面７の傾斜に沿って反射鏡２の中心方向、すなわち、バルブ３の方向に多く流れ、冷却効果を高めることができる。
【００１５】
図４は、フィン６の他の構造例であって、ガイド面７と両翼８との間に、側面三角形状の折曲連接部１２を形成したものである。これにより、ガイド面７の下端は図４に示された状態で前方に大きく突出する形状になり、フレーム３に取り付けた際、上記通路９の間隔が大きくなり、冷却風の通りをよくすることができる。この折曲連接部１２の傾斜角度を変えることにより、ガイド面７の傾斜角度を変えることができる。
【００１６】
以上のように、反射鏡２の前方に、フィン６と、フィン６に向けて送風するファン１１をもうけたので、最も発熱しやすい光源１を冷却風で冷却することができ、特に、テーブルと天井吊り下げの両位置で使用する場合でも、バルブの上下が均一に冷却できるので、バルブ３のトップとボトムの温度差を１５０℃以内の好ましい範囲に収めることが可能になる。
【図面の簡単な説明】
【００１７】
【図１】本発明のプロジェクタ用光源の実施形態を示す一部切欠き側面図。
【図２】本発明のプロジェクタ用光源の正面図。
【図３】フィンの斜視図。
【図４】フィンの他の構造例を示す斜視図。
【符号の説明】
【００１８】
１  光源
２  反射鏡
２a   鏡面
３  バルブ
５  フレーム
６  フィン
７  ガイド面
８  両翼
９  通路
１１  ファン
【図１】
0004622381.tif 000002
【図２】
0004622381.tif 000003
【図３】
0004622381.tif 000004
【図４】
0004622381.tif 000005